(57)【要約】      （修正有）【課題】点検作業者が玄関子機を使って、居住者に点検中であることを通知し、かつ、点検作業者が誤った操作をしても誤発報することがないインターホン装置を提供する。【解決手段】来訪者が居住者を呼び出して通話するための玄関子機と、玄関子機に接続され、居住者が来訪者からの呼び出しに応答して通話するための居室親機とからなるインターホン装置であって、玄関子機は、当該インターホン装置の点検を開始するための点検信号を居室親機に送信するための点検信号送信手段を備え、居室親機は、点検信号を受信したとき、点検を開始する旨を報知する報知手段と、点検モードに移行させるための点検モード移行手段と、点検モードに移行した際には、玄関子機から送信される復旧信号以外の信号を受信しても破棄する制御をおこなう親機制御手段とを備える。【選択図】図２
2011135239.tif 000002
【特許請求の範囲】
【請求項１】
来訪者が居住者を呼び出して通話するための玄関子機と、前記玄関子機に接続され、居住者が来訪者からの呼び出しに応答して通話するための居室親機とからなるインターホン装置であって、
前記玄関子機は、当該インターホン装置の点検を開始するための点検信号を前記居室親機に送信するための点検信号送信手段を備え、
前記居室親機は、前記点検信号を受信したとき、点検を開始する旨を報知する報知手段と、点検モードに移行させるための点検モード移行手段と、前記点検モードに移行した際には、前記玄関子機から送信される復旧信号以外の信号を受信しても破棄する制御をおこなう親機制御手段とを備えたことを特徴とするインターホン装置。
【請求項２】
前記親機制御手段は、前記点検モード中において、前記居室親機で内線呼出、モニタ操作等の操作がおこなわれることにより、当該操作に関連する信号を受信しても破棄する制御をおこなうことを特徴とする請求項１記載のインターホン装置。
【発明の詳細な説明】
【技術分野】
【０００１】
本発明は、点検作業者が玄関子機を使って、居住者に点検中であることを通知し、かつ、点検作業者が誤った操作をしても誤発報することがないことを可能としたインターホン装置に関する。
【背景技術】
【０００２】
従来から、来訪者が玄関子機の呼出ボタンを操作することにより、居室親機を介して居住者に来訪したことを報知すると共に、玄関子機で撮像した映像を居室親機で出画して、それを確認した居住者が応答操作することにより玄関子機と通話をすることができるインターホン装置があった。
これにより、居住者は来訪者を映像で確認しながら、来訪者に応対することができる。
【先行技術文献】
【特許文献】
【０００３】
【特許文献１】特開２００９−２３０３１８号公報
【発明の開示】
【発明が解決しようとする課題】
【０００４】
しかしながら、従来のこのようなインターホン装置において、例えば、玄関子機の点検作業をおこなう場合は、玄関子機と居室親機間の配線を外すこともあり、居住者が操作しても動作しない虞もあるため、点検作業者は毎回呼出ボタンを押下し、居住者に対して点検作業を行う旨を通知する必要があった。
【０００５】
そこで、本発明はこのような問題点に鑑み、点検作業者が玄関子機を使用して点検作業中であることを居住者の応答を不要としたまま通知することを可能とし、点検の作業効率向上を図ることが可能なインターホン装置を提供することを目的とする。
【課題を解決するための手段】
【０００６】
上述の目的を達成するため、本発明の第１の態様であるインターホン装置は、来訪者が居住者を呼び出して通話するための玄関子機と、玄関子機に接続され、居住者が来訪者からの呼び出しに応答して通話するための居室親機とからなるインターホン装置であって、玄関子機は、当該インターホン装置の点検を開始するための点検信号を居室親機に送信するための点検信号送信手段を備え、居室親機は、点検信号を受信したとき、点検を開始する旨を報知する報知手段と、点検モードに移行させるための点検モード移行手段と、点検モードに移行した際には、玄関子機から送信される復旧信号以外の信号を受信しても破棄する制御をおこなう親機制御手段とを備えたことを特徴とする。
【０００７】
また、本発明の第２の態様であるインターホン装置は、親機制御手段は、点検モード中において、居室親機で内線呼出、モニタ操作等の操作がおこなわれることにより、当該操作に関連する信号を受信しても破棄する制御をおこなうことを特徴とする。
【発明の効果】
【０００８】
請求項１の発明によれば、点検作業者が子機を使用して居住者に点検作業を行う旨を通知することにより、居住者に安心感を与えることができる。また、点検作業者が誤った操作、例えば、居室親機と接続された状態のまま呼出ボタンを操作したとしても、親機側では、呼出ボタンの操作により発生する呼出信号を受信しても無効とし、呼出音の報知をおこなわないので、安心して作業をおこなうことができる。
また、居住者は、点検作業中であることが通知されるので、点検作業者を不審者と間違えることはないし、また、点検作業開始にあたり、点検作業者からの確認を求められることがないので煩わしさを軽減できる。
【０００９】
請求項２の発明によれば、点検作業者が点検している場合であっても、居住者が居室親機を操作しても動作しないため混乱を防止することができる。
【図面の簡単な説明】
【００１０】
【図１】本発明に係る実施形態であるインターホン装置のシステム構成図である。
【図２】本発明に係る実施形態であるインターホン装置のブロック図である。
【発明を実施するための形態】
【００１１】
以下、本発明によるインターホン装置を適用した好ましい形態の実施例について、図面を参照して説明する。
図１は本発明のインターホン装置のシステム構成図であり、来訪者が居住者を呼び出して通話するための玄関子機１と、当該玄関子機に接続され、居住者が来訪者からの呼び出しに応答して通話するための居室親機２とから構成されている。
また、図２のブロック図に示すように、玄関子機１は、来訪者が居住者を呼び出すときに操作する呼出ボタン等の子機操作部１１、来訪者の映像を撮像するカメラ部１２、通電状態であるかを表示する表示灯１３、来訪者と通話する子機マイク１４、子機スピーカ１５、玄関子機１の各部を制御する子機ＣＰＵ１６、居室親機２と通信する子機ＩＦ１７から構成されている。
【００１２】
また、居室親機２は、玄関子機１からの呼び出しに応答するための通話ボタンや終話ボタン、その他、映像のパンチルト操作や各種設定をおこなうための親機操作部２１、玄関子機１のカメラ部１２で撮像した映像や、各種設定画面等を出画する液晶表示部２２、来訪者と通話するための親機マイク２３、親機スピーカ２４、居室親機２の各部を制御する親機ＣＰＵ２５、玄関子機１と通信する親機ＩＦ２６から構成されている。
【００１３】
このように構成されたインターホン設備について、以下、動作を説明する。
なお、来訪者が居住者を呼び出すために玄関子機１の子機操作部１１を構成する呼出ボタンを操作して居室親機２において、当該呼出ボタンの操作に基づく呼出信号を受信して親機スピーカ２４から呼出音を報音させると共に、玄関子機１のカメラ部１２で撮像した映像を居室親機２の液晶表示部２２で出画して、これを確認した居住者が、居室親機２の親機操作部２１を構成する通話ボタンを操作することで玄関子機と通話路を形成し、子機マイク１４、子機スピーカ１５と親機マイク２３、親機スピーカ２４間で通話することについては従来と同様であるため説明を省略し、ここでは、玄関子機１の点検をおこなう場合についての動作を詳述する。
【００１４】
点検作業者は、玄関子機１の点検をおこなうに際して、当該玄関子機の子機操作部１１を構成する呼出ボタンを呼出操作時と異なる操作をおこなう。例えば、子機操作部（呼出ボタン）１１を長押しすると、これを検出した子機ＣＰＵ１６は、点検信号を生成して子機ＩＦ１７を介して居室親機２の親機ＣＰＵ２５へ送出する。点検信号を受信した親機ＣＰＵ２５は親機スピーカ２４から点検を開始する音声を報音させると共に、予め親機ＣＰＵ、その他図示しない記憶部に記憶されている点検開始をお知らせする画像を、液晶表示部２２を制御して表示させる。
【００１５】
これにより、子機ＣＰＵ１６、親機ＣＰＵ２５の双方は点検モードとなり、居住者には点検作業者が点検作業をおこなうことを当該点検作業者と呼出・通話することなく把握することができる。
このような状態において、点検作業者が誤って玄関子機１の子機操作部１１を構成する呼出ボタンを押下したとすると、子機ＣＰＵ１６はこれを検出して、呼出信号を生成し、子機ＩＦ１７を介して居室親機２に送信する。居室親機２では、親機ＩＦ２６を介して親機ＣＰＵ２５にて受信される。
【００１６】
親機ＣＰＵ２５は、自身が点検モード中であることから、受信した呼出信号を無効な信号として破棄する制御をおこなう。これにより、誤操作による呼出音の報音はおこなわれず、居住者の手を煩わせることがなく、点検作業者は安心し作業を続けることができる。
また、点検作業中に玄関子機１と居室親機２間の配線を外した場合であったても液晶表示部２２に表示された点検作業中の画像は出画された状態を保持させることができる。
なお、点検モード中に居室親機で、各種設定操作、モニタ操作等をおこなった場合であっても親機ＣＰＵ２５は、各種信号を無効な信号として破棄する制御がおこなわれる。
【００１７】
次に、点検作業を終了した点検作業者は、玄関子機１を再度配線し、子機操作部１１を構成する呼出ボタン用いて復旧信号を子機ＣＰＵ１６より送信する。具体的には、再度長押し操作することで子機ＣＰＵ１６がこれを検出し、復旧信号を生成して点検信号と同様の経路で親機ＣＰＵ２５が受信する。
これにより、親機ＣＰＵ２５は、液晶表示部２２を制御して点検作業が終了したことを知らせる画面を一定期間表示させて待受け状態に戻す。以後、玄関子機１からの通常呼出操作や居室親機２での各種設定操作、モニタ操作等がおこなわれた場合は、当該操作に対する動作をおこなう。
【００１８】
なお、上記実施例において、点検モード中に玄関子機１の子機操作部１１を構成する呼出ボタンを誤って操作した場合に、子機ＣＰＵ１６が呼出信号を生成して居室親機２に送信するよう構成しているが、点検モード中であることを検出している子機ＣＰＵ１６の制御により呼出信号を生成しない制御をおこなうようにしてもよい。これにより、親機ＣＰＵ２５で破棄する制御をおこなう必要がなくなる。
【符号の説明】
【００１９】
１・・・              玄関子機
１１・・・          子機操作部（呼出ボタン）
１２・・・          カメラ部
１４・・・          子機マイク
１５・・・          子機スピーカ
１６・・・          子機ＣＰＵ
２・・・              居室親機
２１・・・          親機操作部
２２・・・          液晶表示部
２３・・・          親機マイク
２４・・・          親機スピーカ
２５・・・          親機ＣＰＵ
【図１】
2011135239.tif 000003
【図２】
2011135239.tif 000004